(57)【要約】【課題】  本発明は複数の光源についての非点収差の補正を容易に行える光ピックアップおよび光ディスク再生装置を提供する。【解決手段】  第２のレーザ光源を第１のレーザ光源よりも光軸に近接して配置し、かつ第２のレーザ光源からの第２のレーザ光を第１のレーザ光源からの第１のレーザ光よりも小さい開口数で光ディスクに集光させ、さらに、第１のレーザ光が光軸から外れているために生じる非点収差を非点収差補正手段によって補正する。第２のレーザ光源は光軸により近接しているため非点収差が小さい。第２のレーザ光が非点収差補正手段を通過することで非点収差が大きくなる可能性があるが、その開口数が第１のレーザ光より小さいことから、この非点収差はそれほど問題ではない。【選択図】  図１
2005063572.tif 000002
【特許請求の範囲】
【請求項１】
第１のレーザ光を出射する第１のレーザ光源と、
前記第１のレーザ光源の近傍に光軸により近接して配置され、第２のレーザ光を出射する第２のレーザ光源と、
前記第１、第２のレーザ光源から出射される第１、第２のレーザ光を入射し、前記第２のレーザ光を前記第１のレーザ光より小さな開口数で光ディスクに集光するレンズと、
前記第１、第２のレーザ光源と前記光ディスクとの間に配置され、前記第１、第２のレーザ光を入射し、前記第１のレーザ光が前記光ディスクに集光されるときの非点収差を補正する非点収差補正手段と、
を具備することを特徴とする光ピックアップ。
【請求項２】
前記非点収差補正手段がアナモルフィック非球面の前記レンズである
ことを特徴とする請求項１記載の光ピックアップ。
【請求項３】
前記非点収差補正手段が、前記第１、第２のレーザ光源と前記レンズとの間に配置されたアナモルフィック非球面のレンズである
ことを特徴とする請求項１記載の光ピックアップ。
【請求項４】
前記非点収差補正手段が、前記光ディスクから反射される第１、第２のレーザ光を光検出素子に集光するアナモルフィック非球面のレンズである
ことを特徴とする請求項１記載の光ピックアップ。
【請求項５】
前記非点収差補正手段が、前記第１、第２のレーザ光の発散光中に光軸と傾斜して配置される平面を有する光学部材である
ことを特徴とする請求項１記載の光ピックアップ。
【請求項６】
前記光学部材が、平板形状または楔形形状である
ことを特徴とする請求項５記載の光ピックアップ。
【請求項７】
前記非点収差補正手段が、液晶素子である
ことを特徴とする請求項１記載の光ピックアップ。
【請求項８】
第１のレーザ光を出射する第１のレーザ光源と、
前記第１のレーザ光源の近傍に光軸により近接して配置され、第２のレーザ光を出射する第２のレーザ光源と、
前記第１、第２のレーザ光源から出射される第１、第２のレーザ光を入射し、前記第２のレーザ光を前記第１のレーザ光より小さな開口数で光ディスクに集光するレンズと、
前記第１、第２のレーザ光源と前記光ディスクとの間に配置され、前記第１、第２のレーザ光を入射し、前記第１のレーザ光が前記光ディスクに集光されるときの非点収差を補正する非点収差補正手段とを有する光ピックアップ
を具備することを特徴とする光ディスク再生装置。
【発明の詳細な説明】
【技術分野】
【０００１】
本発明は、光ピックアップおよび光ディスク再生装置に関する。
【背景技術】
【０００２】
光ディスク再生装置には、ＣＤ（Compact Disc）、ＤＶＤ（Digital Versatile Disc）等の複数種別の光ディスク（光記録媒体）の再生を可能とするため、複数の波長の光を出射する光源を備えるものがある。この光源には、例えば、半導体チップ上に互いに異なる波長の光を出射する複数の領域を近接して形成した半導体レーザを用いることができる。
このように複数の箇所（複数の光源）から異なる波長の光束が出射される場合には、これらの光束の光学的条件（正弦条件等）にズレが生じる。例えば、２波長用の対物レンズでは、ＤＶＤ用の光源で正弦条件がほぼ満たされ、ＣＤ用の光源で正弦条件からのズレが大きいのが通例である。このときには、光束の入射方向が対物レンズに対して傾いた場合に、ＤＶＤ用の光源では最適傾角からの変化が比較的小さく、ＣＤ用の光源では最適傾角からの変化が大きくなる。なお、複数の波長同士での色収差等位相収差を補正する技術が開示されている（特許文献１参照）。
【特許文献１】特開２００１−２３６６８０号公報。
【発明の開示】
【発明が解決しようとする課題】
【０００３】
しかしながら、ＤＶＤの開口数はＣＤの開口数より大きいため、ＤＶＤ用の光源を光軸から外して配置した場合、非点収差が大きくなり、光ディスク上の光束のスポット品質、ひいては再生信号のＳ／Ｎ比が低下する可能性がある。特にＤＶＤに記録を行う場合には、開口数をより大きくする必要があるため、再生信号のＳ／Ｎ比がさらに低下する可能性がある。
また、ＤＶＤに記録を行う場合には、光利用効率を上げるために、対物レンズの焦点距離foとコリメーターの焦点距離fcの比fc/ｆoを再生用の光学系よりも大きくする場合がある。この場合、記録時には再生時よりも光軸に対する光束の傾きが大きくなり、非点収差が大きくなり、記録品質が低下する可能性がある。
この問題を解決するために、２つの波長で光軸を互いに一致させる技術が知られているが、光軸を一致させるための部品の追加が必要となり、光ディスク装置の高価格化、大型化を招く。
以上に鑑み、本発明は複数の光源についての非点収差の補正を容易に行える光ピックアップおよび光ディスク再生装置を提供することを目的とする。
【課題を解決するための手段】
【０００４】
Ａ．本発明に係る光ピックアップは、第１のレーザ光を出射する第１のレーザ光源と、前記第１のレーザ光源の近傍に光軸により近接して配置され、第２のレーザ光を出射する第２のレーザ光源と、前記第１、第２のレーザ光源から出射される第１、第２のレーザ光を入射し、前記第２のレーザ光を前記第１のレーザ光より小さな開口数で光ディスクに集光するレンズと、前記第１、第２のレーザ光源と前記光ディスクとの間に配置され、前記第１、第２のレーザ光を入射し、前記第１のレーザ光が前記光ディスクに集光されるときの非点収差を補正する非点収差補正手段と、を具備することを特徴とする。
【０００５】
第２のレーザ光源は第１のレーザ光源よりも光軸に近接して配置され、かつ第２のレーザ光源からの第２のレーザ光は第１のレーザ光源からの第１のレーザ光よりも小さい開口数で光ディスクに集光される。第１のレーザ光源が光軸から外れているため、第１のレーザ光に非点収差が発生するが、非点収差補正手段によってこの非点収差を補正できる。一方、第２のレーザ光源は光軸により近接しているため非点収差が小さい。第２のレーザ光は非点収差補正手段を通過することで非点収差が大きくなる可能性があるが、その開口数が第１のレーザ光より小さいことから、この非点収差はそれほど大きな問題とはならない。
以上のように、第１、第２のレーザ光源いずれからのレーザ光についても非点収差を適正な範囲とすることが可能となる。
なお、第１、第２の光源は互いに分離されていても、一体的に形成されていても差し支えない。第１、第２の光源が一体化された例として、複数の発光点を有する半導体レーザを挙げることができる。
【０００６】
（１）前記非点収差補正手段がアナモルフィック非球面の前記レンズであってもよい。
レンズをアナモルフィック非球面として、第１のレーザ光が本来有する非点収差と逆の非点収差を付与することで、第１のレーザ光の非点収差をキャンセルすることができる。
【０００７】
（２）前記非点収差補正手段が、前記第１、第２のレーザ光源と前記レンズとの間に配置されたアナモルフィック非球面のレンズであってもよい。
例えば、第１、第２のレーザ光源から出射された拡散光の拡散状態を調節するカップリングレンズ（拡散光を平行光に変換するコリメータレンズを含む）をアナモルフィック非球面として、第１のレーザ光が本来有する非点収差と逆の非点収差を付与することで、第１のレーザ光の非点収差を補正できる。
【０００８】
（３）前記非点収差補正手段が、前記光ディスクから反射される第１、第２のレーザ光を光検出素子に集光するアナモルフィック非球面のレンズであってもよい。
例えば、光検出素子に第１、第２のレーザ光を集光させる検出用のレンズをアナモルフィック非球面として、第１のレーザ光が本来有する非点収差と逆の非点収差を付与することで、第１のレーザ光の非点収差を補正することができる。
【０００９】
（４）前記非点収差補正手段が、前記第１、第２のレーザ光の発散光中に光軸と傾斜して配置される平面を有する光学部材であってもよい。
発散光が発散光の光路に対して傾斜した斜面を通過すると非点収差が生じる。この非点収差を第１のレーザ光が本来有する非点収差と逆の非点収差とすることで、第１のレーザ光の非点収差を補正することができる。
このための光学部材の例として、平板形状または楔形形状の透光部材を挙げることができる。
【００１０】
（５）前記非点収差補正手段が、液晶素子であってもよい。
液晶には屈折率の異方性があることから光が液晶層を通過することで非点収差が生じさせることが可能である。この非点収差を第１のレーザ光が本来有する非点収差と逆の非点収差とすることで、第１のレーザ光の非点収差を補正することができる。
【００１１】
Ｂ．本発明に係る光ディスク再生装置は、Ａに記載の光ピックアップ、を具備することを特徴とする。
非点収差補正手段によって第１のレーザ光の非点収差を補正することで、第１、第２のレーザ光いずれについても非点収差を適正な範囲とすることが可能となる。
【発明の効果】
【００１２】
以上のように、本発明によれば、複数の光源についての非点収差の補正を容易に行える光ピックアップおよび光ディスク再生装置を提供することができる。
【発明を実施するための最良の形態】
【００１３】
（第１実施形態）
図１は本発明の第１の実施形態に係る光ディスク再生装置１０を示す模式図である。
光ディスク再生装置１０は、光ピックアップ２０，光ピックアップ駆動部３０を備え、規格の異なる複数の光ディスクＤ（ＣＤ（Compact Disc）、ＤＶＤ（Digital Versatile Disc）等）からの情報の読み出しを行う。
【００１４】
光ピックアップ２０は、レーザダイオードＬＤ、グレーティング２１，ビームスプリッタＢＳ、コリメータレンズＬ１、ミラーＭ、対物レンズＬ２、対物レンズ駆動部２２，光軸補正素子２３、検出レンズＬ３、フォトダイオードＰＤを有し、光ディスクＤからの情報の読み出しを行う。
光ピックアップ駆動部３０は，光ピックアップ２０全体を移動（シーク等）するためのアクチュエータである。
【００１５】
第１、第２のレーザ光源たるレーザダイオードＬＤは、第１の波長（λ１）の第１のレーザ光、第２の波長（λ２）の第２のレーザ光を出射する。第１、第２の波長の例として、ＤＶＤの再生のための波長６５０ｎｍ、ＣＤの再生のための波長７８０ｎｍを挙げることができる。レーザダイオードＬＤは、例えば、第１のレーザ光を出射する第１の領域（第１の発光点）、第２のレーザ光を出射する第２の領域（第２の発光点）を近接して形成された半導体チップから構成される。
ここで、第２の発光点は第１の発光点よりも光学系の光軸に近接している。このため、第２のレーザ光は第１のレーザ光よりも非点収差が小さい。また、後述するように、第２のレーザ光は第１のレーザ光よりも光ディスクＤに集光する際の開口数（ＮＡ：Numerical Aperture）が小さい。
【００１６】
グレーティング２１は，第１、第２の波長に応じて、入射した第１、第２のレーザ光を異なった状態で回折する２波長の回折格子である。グレーティング２１によって第１、第２のレーザ光それぞれを回折して、メインビームと２つのサブビームに分割し、トラッキングエラー信号（差動プッシュプル信号：ＤＰＰ信号）の生成に利用できる。例えば、ＤＶＤとＣＤとではトラックピッチが異なるため、３つのビーム間の最適角度が異なる。このため、このビーム間の最適角度に対応するように、第１、第２の波長それぞれでの回折状態が設定される。これはグレーティング２１の格子間隔（グレーティングのピッチ）等を適宜に設定することで行える。
【００１７】
ビームスプリッタＢＳは、所定の偏光方向の光を通過し、この偏光方向と直交する偏光方向の光を反射する偏光素子であり、レーザダイオードＬＤから入射する第１、第２のレーザ光を反射し、光ディスクＤで反射された第１、第２のレーザ光を透過するように設定されている。
【００１８】
コリメータレンズＬ１は、ビームスプリッタＢＳから出射された第１、第２のレーザ光を平行光に変換し、光ディスクＤから反射された第１、第２のレーザ光を収束光に変換する光学素子である。
既述のように、第１の発光点が光学系の光軸から外れていることから、第１のレーザ光は非点収差を有する。本実施形態では、コリメータレンズＬ１に第１のレーザ光が通過するときにこれと逆の非点収差が付与され、第１のレーザ光の非点収差がキャンセルされる。
図２はコリメータレンズＬ１の一例を表す上面図である。コリメータレンズＬ１の形状はいわゆるアナモルフィック非球面であり、縦方向、横方向で曲率半径、ひいては焦点距離が異なる。
【００１９】
コリメータレンズＬ１がアナモルフィック非球面でない（例えば、球面レンズ）の場合、第１のレーザ光は非点収差を帯びていることから、光ディスクＤ上での第１のレーザ光のビームスポットＳＰ１の形状は楕円形になる。コリメータレンズＬ１を適切なアナモルフィック非球面とすることで、光ディスクＤ上での第１のレーザ光のビームスポットＳＰの形状を円形とすることができる（非点収差の解消）。
一方、第２のレーザ光はアナモルフィック非球面のコリメータレンズＬ１を通過することで非点収差を帯び、光ディスクＤ上での第２のレーザ光のビームスポットＳＰ２の形状が元々の円形から楕円形になる。しかしながら、第２のレーザ光の開口数はさほど大きくないことから（即ち、ビームスポットＳＰ２のスポット径がさほど小さくなくてよい）、この非点収差による影響（再生信号のＳ／Ｎ比低下）は問題とする程ではない。
以上のように、第１、第２のレーザ光が、アナモルフィック非球面のコリメータレンズＬ１を通過することで、双方の非点収差を適正な範囲に保つことができる。
【００２０】
ミラーＭは、第１、第２のレーザ光の方向を変える光学素子である。
対物レンズＬ２は、第１、第２のレーザ光を光ディスクＤに集光し、光ディスクＤから反射されたレーザ光を平行光に変換するための光学素子である。
光ディスクＤ上で第１、第２のレーザ光はそれぞれ、ビームスポットＳＰ１、ＳＰ２を形成する。このとき、第２のレーザ光の開口数は第１のレーザ光の開口数よりも小さい。
これは、例えば、対物レンズＬ２の直前に、第１、第２のレーザ光によって開口が変化する絞りを配置することで行える（絞りの開口の大きさが、第１のレーザ光では大きく、第２のレーザ光では小さくなる）。このような絞りには、波長依存性のある光学材料（第１の波長の光を透過して、第２の波長の光を透過しない（反射、または吸収する））をパターニングした２波長の絞りを用いることができる。
【００２１】
対物レンズ駆動機構２２は、対物レンズＬ２を前後方向および光ディスクＤの径方向ＲＤに移動させ、径方向に傾斜（傾斜角θ）させるための機構である。対物レンズ駆動機構２２は、第１、第２のレーザ光の焦点合わせ（フォーカシング）、スポット位置の調節（トラッキング）、およびチルト角の調節を行う。
図３（Ａ）、（Ｂ）は、対物レンズ駆動機構２２の詳細を表す上面図および側面図である。
対物レンズ駆動機構２２は、レンズ保持部５１，フォーカス・トラッキング駆動部５２、接続部５３、チルト駆動部５４から構成される。
【００２２】
レンズ保持部５１は、対物レンズＬ２を保持するための保持機構である。
フォーカス・トラッキング駆動部５２は、対物レンズＬ２を光ディスクＤに対する前後方向、および光ディスクＤの径方向に移動させるための移動機構であり、光ディスクＤに対する第１、第２のレーザ光の焦点合わせ（フォーカシング）および光ディスクＤのトラックに対する第１、第２のレーザ光のスポット位置の調節（トラッキング）を行う。フォーカス・トラッキング駆動部５２は、例えば、フォーカス用コイル、トラッキング用コイルから構成され、これらのコイルに流す電流量を調節することで、フォーカシングおよびトラッキングを行える。
接続部５３は、フォーカス・トラッキング駆動部５２と回転部６１を力学的に接続するための機構である。
【００２３】
チルト駆動部５４は、対物レンズＬ２の光ディスクＤに対する径方向ＲＤの傾斜角θ（径方向ＲＤのチルト角）を変化させるための傾斜機構であり、光ディスクＤに対する第１、第２のレーザ光のチルト角の調節を行う。
チルト駆動部５４は、回転部６１，電磁石６２，シャフト６３，固定部６４，磁石部６５から構成される。
回転部６１は、固定部６４とシャフト６３で接続され、シャフト６３を回転軸として光ディスクＤのチルト方向に回転する。
電磁石６２は、回転部６１に接続され、回転部６１を固定部６４に対して回転させるための駆動機構である。電磁石６２に電流を流すことで磁石部６５との間に吸引力、または反発力が生じ、回転部６１を回転して傾斜角θを調節することができる。電流を流す方向で回転方向が、電流量で回転角の絶対値を制御できる。
シャフト６３は、回転部６１と固定部６４とを回転可能に接続する接続機構である。
固定部６４は、光ピックアップ２０の本体に接続され、光ピックアップ駆動部３０により光ピックアップ２０本体と共に移動される（シーク動作）。
磁石部６５は、固定部６４に接続された固定磁石であり、これと電磁石６２との間の吸引・反発力によって回転部６１が回転する。
【００２４】
光軸補正素子２３は、レーザダイオードＬＤから出射された第１、第２の波長のレーザ光の光路を光ピックアップ２０の光学系の光軸に対して補正し、第１、第２のレーザ光がフォトダイオードＰＤの略同一箇所に集光させるための光学素子である。第１、第２のレーザ光の発光点にはズレがあることから、例えば第１のレーザ光の発光点を光軸と一致させたときは、第２のレーザ光の発光点は光軸からずれる。従い、第１、第２のレーザ光は、フォトダイオードＰＤ上の異なった位置に集光される。このため、光軸補正素子２３によって第１、第２の波長それぞれで出射光の光路を調節し、フォトダイオードＰＤ上の略同一の位置に第１、第２のレーザ光が集光するようにしている。
（光軸補正素子２３の具体的構成を説明願います）
光軸補正素子２３は、具体的には次のようにして構成できる。
【００２５】
検出レンズＬ３は、第１、第２のレーザ光をフォトダイオードＰＤに集光するための光学素子である。
受光素子たるフォトダイオードＰＤは、光ディスクＤで反射された第１、第２のレーザ光を検出し、光ディスクＤからの情報の読み出しを行うための素子である。
フォトダイオードＰＤは、レーザ光がグレーティング２１によってメインビームと２つのサブビームに分割されていることに対応して、これら３つのビームそれぞれを独立に検出できるように検出領域が区分されている。３つのビームそれぞれを検出し、演算することで、差動プッシュプル法（ＤＰＰ法）によるトラッキングエラー信号（差動プッシュプル信号：ＤＰＰ信号）の生成がなされる。
【００２６】
（光ピックアップ２０の動作）
光ピックアップ２０の動作を説明する。ここで、第１、第２のレーザ光は、光ディスクＤの種別等に応じてそのどちらか一方のみが出射されるのが通例であるが、判り易さのために第１、第２のレーザ光を対比して説明する。
【００２７】
（１）レーザダイオードＬＤから出射された第１、第２のレーザ光は、グレーティング２１によって３つのビームに分割された後、ビームスプリッタＢＳで反射され、コリメータレンズＬ１に入射して、平行光に変換される。
第１の発光点が光軸から外れていることから第１のレーザ光は非球面収差を帯びている。この非球面収差がコリメータレンズＬ１を通過することで解消する。第２のレーザ光はコリメータレンズＬ１を通過することで非球面収差がむしろ大きくなるが、開口数が小さいことからその影響はさほど大きくない。
【００２８】
（２）その後、第１、第２のレーザ光は、ミラーＭで反射され、対物レンズＬ２に入射し、光ディスクＤ上に集光される。例えば、第１のレーザ光はＤＶＤに第２のレーザ光はＣＤに集光され、ビームスポットＳＰ１，ＳＰ２をそれぞれ形成する。
第１のレーザ光の非球面収差が補正されていることから、光ディスクＤ上での第１のレーザ光のビームスポットＳＰ１は略円形となる。これに対して第２のレーザ光の非球面収差はむしろ増大することから、光ディスクＤ上での第２のレーザ光のビームスポットＳＰ２は略楕円型となるが、第２のレーザ光の開口数はある程度大きい（ビームスポットＳＰ２の大きさがさほど小さいことを要しない）ことから、非球面収差による影響はさほど大きくない。
【００２９】
（３）光ディスクＤで反射された第１、第２のレーザ光は対物レンズＬ２、ミラーＭ、コリメータレンズＬ１を経て、ビームスプリッタＢＳを透過し、光軸補正素子２３によって光路が補正される。
（４）光軸補正素子２３を通過した第１、第２のレーザ光は検出レンズＬ３を経て、フォトダイオードＰＤに入射する。第１、第２のレーザ光は、光軸補正素子２３によって、フォトダイオードＰＤ上の同じ位置に集光される。フォトダイオードＰＤから３つのビームに対応する信号が出力され、この３つの出力を演算することでＤＰＰ信号が生成され、光ピックアップ２０のトラッキング制御を行える。
【００３０】
以上のように本実施形態では、第２のレーザ光の発光点を光軸上に配置し、第１のレーザ光の発光点を光軸からずらして配置し、第１のレーザ光の非球面収差をコリメータレンズＬ１によって補正している。この結果、第１、第２のレーザ光の光ディスクＤ上でのビームスポットＳＰの品質、ひいては光ピックアップ２０の記録・再生能力を良好な状態にすることができる。
また、本来装置構成上必要なコリメータレンズＬ１をアナモルフィック非球面とすることで非球面収差を補正していることから、部品点数を増やすことなく第１のレーザ光のビームスポットの品質を向上でき、小型、安価、かつ記録・再生能力に優れる光ピックアップ及び光ディスク装置を提供することができる。
【００３１】
（第２実施形態）
図４は本発明の第２の実施形態に係る光ディスク再生装置１０ａを示す模式図である。
光ディスク再生装置１０ａは、光ピックアップ２０ａ，光ピックアップ駆動部３０を備え、規格の異なる複数の光ディスクＤからの情報の読み出しを行う。
【００３２】
光ピックアップ２０ａは、レーザダイオードＬＤ、グレーティング２１、カップリングレンズＬ４，ビームスプリッタＢＳ、ミラーＭ、対物レンズＬ２、対物レンズ駆動部２２，光軸補正素子２３、検出レンズＬ３、フォトダイオードＰＤを有し、光ディスクＤからの情報の読み出しを行う。
【００３３】
第１の実施形態と比較すると、光ピックアップ２０ａでは、コリメーターレンズＬ１に換えて、グレーティング２１とビームスプリッタＢＳの間にカップリングレンズＬ４が配置されている。
カップリングレンズＬ４は入射した第１、第２のレーザ光の発散角を調節するものである。なお、入射した発散光を平行光へと変換するコリメータレンズはカップリングレンズの一種と考えてもよい。
【００３４】
本実施形態では、カップリングレンズＬ４はアナモルフィック非球面レンズであり、縦方向、横方向で曲率半径、ひいては焦点距離が異なる。
カップリングレンズＬ４がアナモルフィック非球面でない（例えば、球面レンズ）の場合、第１のレーザ光は非点収差を帯びていることから、光ディスクＤ上での第１のレーザ光のビームスポットＳＰ１の形状は楕円形になる。カップリングレンズＬ４を適切なアナモルフィック非球面とすることで、光ディスクＤ上での第１のレーザ光のビームスポットＳＰの形状を円形とすることができる（非点収差の解消）。
【００３５】
一方、第２のレーザ光はアナモルフィック非球面のカップリングレンズＬ４を通過することで非点収差を帯び、光ディスクＤ上での第２のレーザ光のビームスポットＳＰ２の形状は元々の円形から楕円形になる。しかし、第２のレーザ光の開口数はさほど大きくないことから、この非点収差による影響（再生信号のＳ／Ｎ比低下）は問題とする程ではない。
上述のように、第１、第２のレーザ光が、アナモルフィック非球面のカップリングレンズＬ４を通過することで、双方の非点収差を適正な範囲に保つことができる。
他の点では、本実施形態は第１の実施形態と本質的に異なるものではないので、記載を省略する。
【００３６】
以上のように本実施形態では、第２のレーザ光の発光点を光軸上に配置し、第１のレーザ光の発光点を光軸からずらして配置し、第１のレーザ光の非球面収差をカップリングレンズＬ４によって補正している。この結果、第１、第２のレーザ光の光ディスクＤ上でのビームスポットＳＰの品質、ひいては光ピックアップ２０の記録・再生能力を良好な状態にすることができる。
また、カップリングレンズＬ４をアナモルフィック非球面とすることで非球面収差を補正していることから、部品点数を増やすことなく第１のレーザ光のビームスポットの品質を向上でき、小型、安価、かつ記録・再生能力に優れる光ピックアップ及び光ディスク装置を提供することができる。
【００３７】
（第３実施形態）
図５は本発明の第２の実施形態に係る光ディスク再生装置１０ｂを示す模式図である。
光ディスク再生装置１０ｂは、光ピックアップ２０ｂ，光ピックアップ駆動部３０を備え、規格の異なる複数の光ディスクＤからの情報の読み出しを行う。
【００３８】
光ピックアップ２０ｂは、レーザダイオードＬＤ、グレーティング２１、ビームスプリッタＢＳ、コリメータレンズＬ１０、ミラーＭ、液晶素子２４，対物レンズＬ２、対物レンズ駆動部２２，光軸補正素子２３、検出レンズＬ３、フォトダイオードＰＤを有し、光ディスクＤからの情報の読み出しを行う。
【００３９】
第１の実施形態と比較すると、光ピックアップ２０ｂでは、コリメーターレンズＬ１に換えてコリメーターレンズＬ１０が配置され、ミラーＭと対物レンズＬ２との間に液晶素子２４が配置されている。
コリメーターレンズＬ１０は入射した発散光を平行光へと変換することは第１の実施形態と同様であるが、アナモルフィック非球面レンズではなく、縦方向、横方向で曲率半径、ひいては焦点距離が一致する。即ち、コリメーターレンズＬ１０は第１、第２のレーザ光の非球面収差の補正のためには用いられていない。
【００４０】
液晶素子２４は、第１のレーザ光の非球面収差を補正するための光学素子である。
図６は、液晶素子２４を表す側面図である。液晶素子２４は、透明電極７１が形成された一対の透明基板７２の間に液晶材料７３を封入したものである。透明基板７２の間に封入される液晶材料７３には平行配向等種々の配向を用いることができる。
液晶材料には屈折率の異方性を有する。このため、液晶の配向状態および屈折率の異方性の値を適宜に設定することで、液晶素子２４に入射した光に非点収差を付与することができる。
さらに、一対の透明電極７１間に電圧を印加することで、液晶分子の配向を変化させ、この非点収差の大きさを変化させることもできる。
【００４１】
第１のレーザ光は液晶素子２４を通過することで、本来有する非点収差を補正することができる。なお、このときには、必要に応じて液晶素子２４に電圧が印加される。
第２のレーザ光は液晶素子２４を通過することで非点収差を帯びるが、その開口数がさほど大きくないことから、この非点収差による影響（再生信号のＳ／Ｎ比低下）は問題とする程ではない。さらに、液晶素子２４に印加する電圧を調節してその非点収差の特性を変化させ、第２のレーザ光の非点収差を入射前後で事実上変化させず、適正な状態に保つこともできる。
【００４２】
上述のように、第１、第２のレーザ光が、液晶素子２４を通過することで、双方の非点収差を適正な範囲に保つことができる。また、印加する電圧を調節することで、ＤＶＤを記録・再生させる際のみに液晶素子２４に非点収差を発生させることも可能であり、ＣＤからの再生信号をより良好なものとすることができる。
他の点では、本実施形態は第１の実施形態と本質的に異なるものではないので、記載を省略する。
【００４３】
以上のように本実施形態では、第２のレーザ光の発光点を光軸上に配置し、第１のレーザ光の発光点を光軸からずらして配置し、第１のレーザ光の非球面収差を液晶素子２４によって補正している。この結果、第１、第２のレーザ光の光ディスクＤ上でのビームスポットＳＰの品質、ひいては光ピックアップ２０の記録・再生能力を良好な状態にすることができる。
【００４４】
（第４実施形態）
図７は本発明の第２の実施形態に係る光ディスク再生装置１０ｃを示す模式図である。
光ディスク再生装置１０ｃは、光ピックアップ２０ｃ，光ピックアップ駆動部３０を備え、規格の異なる複数の光ディスクＤからの情報の読み出しを行う。
【００４５】
光ピックアップ２０ｃは、レーザダイオードＬＤ、グレーティング２１、カップリングレンズＬ４、ビームスプリッタＢＳ１、コリメータレンズＬ１０、ミラーＭ、対物レンズＬ２、対物レンズ駆動部２２，光軸補正素子２３、検出レンズＬ３、フォトダイオードＰＤを有し、光ディスクＤからの情報の読み出しを行う。
【００４６】
第１の実施形態と比較して、光ピックアップ２０ｃでは、カップリングレンズＬ４が付加され、ビームスプリッタＢＳに換えてビームスプリッタＢＳ１を、コリメーターレンズＬ１に換えてコリメーターレンズＬ１０が配置されている。さらに、光ピックアップ２０ｃでは、レーザダイオードＬＤから出射される第１、第２のレーザ光はビームスプリッタＢＳ１を透過して光ディスクＤに向かい、光ディスクＤで反射された第１、第２のレーザ光はビームスプリッタＢＳ１で反射されフォトダイオードＰＤへと向かっている（第１の実施形態では、往きが反射で、帰りが透過）。
【００４７】
カップリングレンズＬ４は入射した第１、第２のレーザ光の発散角を調節するものである。この調節はビームスプリッタＢＳ１の非点収差特性を調節するために行われる。即ち、カップリングレンズＬ４から出射した第１、第２のレーザ光の発散角が大きければカップリングレンズＬ４での非点収差が大きく、この発散角が小さければ非点収差も小さい。
【００４８】
コリメーターレンズＬ１０は入射した発散光を平行光へと変換することは第１の実施形態と同様であるが、アナモルフィック非球面レンズではなく、縦方向、横方向で曲率半径、ひいては焦点距離が一致する。この結果、コリメーターレンズＬ１０は第１、第２のレーザ光の非球面収差を補正することはない。
【００４９】
ビームスプリッタＢＳ１は、所定の偏光方向の光を通過し、この偏光方向と直交する偏光方向の光を反射する偏光素子であり、レーザダイオードＬＤから入射する第１、第２のレーザ光を透過し、光ディスクＤで反射された第１、第２のレーザ光を反射するように設定されている。これは、ビームスプリッタＢＳ１の反射面に適宜の光学膜を形成することで行える。
また、ビームスプリッタＢＳ１は、第１のレーザ光の非球面収差を補正するための光学素子でもあり、このために発散光中に光軸に対して斜めに配置された平面を有する。発散光中に光軸に対して斜めに配置された平面によって、光を屈折させてその向きを変えることで、非点収差を発生させることができる。その結果、第１のレーザ光が光軸に対して斜めに入射することによる非点収差を補正できる。なお、前述のように、カップリングレンズＬ４により発散角を調節することで、非点収差の大きさを調節できる。
ビームスプリッタＢＳ１は、例えば、平板形状または楔型形状から構成できる。この平面は反射面と兼用することができる。
以上から判るように、ビームスプリッタＢＳ１は、平板形状または楔形状の透光材料の１面に光学膜を形成することで作成できる。
【００５０】
第１のレーザ光は、ビームスプリッタＢＳ１を通過させて、非点収差を補正することができる。
一方、第２のレーザ光はビームスプリッタＢＳ１を通過することで非点収差を帯びるが、そのレーザ光の開口数はさほど大きくないことから、この非点収差による影響（再生信号のＳ／Ｎ比低下）は問題とする程ではない。
上述のように、第１、第２のレーザ光が、ビームスプリッタＢＳ１を通過することで、双方の非点収差を適正な範囲に保つことができる。
他の点では、本実施形態は第１の実施形態と本質的に異なるものではないので、記載を省略する。
【００５１】
以上のように本実施形態では、第２のレーザ光の発光点を光軸上に配置し、第１のレーザ光の発光点を光軸からずらして配置し、第１のレーザ光の非球面収差をビームスプリッタＢＳ１によって補正している。この結果、第１、第２のレーザ光の光ディスクＤ上でのビームスポットＳＰの品質、ひいては光ピックアップ２０の記録・再生能力を良好な状態にすることができる。
また、ビームスプリッタＢＳ１を平板等から形成することで非球面収差を補正していることから、部品点数を増やすことなく第１のレーザ光のビームスポットの品質を向上でき、小型、安価、かつ記録・再生能力に優れる光ピックアップ及び光ディスク装置を提供することができる。
【図面の簡単な説明】
【００５２】
【図１】本発明の第１の実施形態に係る光ディスク再生装置を示す模式図である。
【図２】第１の実施形態に係る光ディスク再生装置のコリメータレンズの一例を表す上面図である。
【図３】第１の実施形態に係る光ディスク再生装置対物レンズ駆動機構の詳細を表す上面図および側面図である。
【図４】本発明の第２の実施形態に係る光ディスク再生装置を示す模式図である。
【図５】本発明の第３の実施形態に係る光ディスク再生装置を示す模式図である。
【図６】第３の実施形態に係る光ディスク再生装置の液晶素子の一例を表す上面図である。
【図７】本発明の第４の実施形態に係る光ディスク再生装置を示す模式図である。
【符号の説明】
【００５３】
１０  光ディスク再生装置
２０  光ピックアップ
２１  グレーティング
２２  対物レンズ駆動機構
２３  光軸補正素子
３０  光ピックアップ駆動部
５１  レンズ保持部
５２  フォーカス・トラッキング駆動部
５３  接続部
５４  チルト駆動部
６１  回転部
６２  電磁石
６３  シャフト
６４  固定部
６５  磁石部
Ｄ  光ディスク
Ｌ１  コリメータレンズ
Ｌ２  対物レンズ
Ｌ３  検出レンズ
ＬＤ  レーザダイオード
Ｍ  ミラー
ＰＤ  フォトダイオード
【図１】
2005063572.tif 000003
【図２】
2005063572.tif 000004
【図３】
2005063572.tif 000005
【図４】
2005063572.tif 000006
【図５】
2005063572.tif 000007
【図６】
2005063572.tif 000008
【図７】
2005063572.tif 000009